(57)【要約】  ホルダをハウジングに取り付ける際に装着されたか否かの判断がしやすいチューブセットを提供する。チューブセットは、液体を送るチューブポンプに備わり、ポンプチューブと、ホルダとを備え、ホルダは、可撓性を有する平板であり且つ互いに第１方向に離れて夫々位置する第１係合部及び第２係合部を有し、厚み方向に撓ませた状態で前記ハウジングに押し込まれることによって前記第１係合部及び前記第２係合部の各々に対応させて前記ハウジングに形成される第１係合溝及び第２係合溝に各々を嵌め込むことができ、且つ前記第１係合部及び前記第２係合部が第１係合溝及び第２係合溝に各々嵌まり込むことで弾性復帰して前記ハウジングに取り付けられ、ホルダの曲げ弾性率は、５００ＭＰａ以上３５００ＭＰａ以下である。
2019065480.tif 000002
【特許請求の範囲】
【請求項１】
液体を送るチューブポンプに備わるチューブセットであって、
ハウジング内にその内周面に沿って湾曲させて配置され、前記ハウジング内に配置されるロータによってしごかれることでその中の液体が圧送されるポンプチューブと、
前記ポンプチューブの両端部が接続され、前記ポンプチューブを前記ハウジングに取り付けるべく前記ハウジングに固定されるホルダとを備え、
前記ホルダは、可撓性を有する平板であり且つ互いに第１方向に離れて夫々位置する第１係合部及び第２係合部を有し、厚み方向に撓ませた状態で前記ハウジングに押し込まれることによって前記第１係合部及び前記第２係合部の各々に対応させて前記ハウジングに形成される第１係合溝及び第２係合溝に各々を嵌め込むことができ、且つ前記第１係合部及び前記第２係合部が第１係合溝及び第２係合溝に各々嵌まり込むことで弾性復帰して前記ハウジングに取り付けられ、
前記ホルダの曲げ弾性率は、５００ＭＰａ以上３５００ＭＰａ以下であるチューブセット。
【請求項２】
前記ホルダは、前記第１係合部の近傍に弱部を有し、厚み方向に撓みやすくなっている、請求項１に記載のチューブセット。
【請求項３】
前記第２係合部は、前記第１係合部に向かって縮むように弾性変形可能に構成されている、請求項１又は２に記載のチューブセット。
【請求項４】
前記ホルダは、前記ハウジングに取り付けられるホルダ本体部と、前記ホルダ本体部に一体的に設けられ且つ前記ポンプチューブの各端部が接続される一対のコネクタ部と、前記ホルダ本体部からその厚み方向一方に突出する押込み部を有し、
前記一対のコネクタ部は、前記ホルダ本体部において第１方向に互いに離して配置され、
前記押し込み部は、前記第１係合部側に位置する一方のコネクタ部と前記第１係合部との間であって且つ前記第１係合部及び前記一方のコネクタ部から離して配置されている、請求項１乃至３の何れか１項に記載のチューブセット。
【請求項５】
前記一対のコネクタ部は、前記ポンプチューブへの液体の給排を可能にすべく筒状に形成され、
前記押込み部は、前記ホルダ本体部から厚み方向一方に離れた位置に、指を載置可能な載置面を有し、
前記載置面は、そこに添えた指が前記一方のコネクタ部にも添えられるように配置されている、請求項４に記載のチューブセット。
【請求項６】
前記一対のコネクタ部は、前記ポンプチューブへの液体の給排を可能にすべく筒状に形成され、
前記チューブの各端部は、対応するコネクタ部に挿入されて溶着されている、請求項４又は５に記載のチューブセット。
【請求項７】
前記一対のコネクタ部のうちの一方のコネクタ部は、前記ポンプチューブの一方端が差し込まれる第１差込口部を有し、
前記一対のコネクタ部のうちの他方のコネクタ部は、前記ポンプチューブの他方端が差し込まれる第２差込口部を有し、
前記第１差込口部の開口方向と前記第２差込口部の開口方向との成す角度が５５°以上１２０°以下であり、より好ましくは６０°以上９０°以下である、請求項４乃至６の何れか１項に記載のチューブセット。
【請求項８】
前記ポンプチューブに液体を供給する供給チューブと、
前記ポンプチューブから液体を排出する排出チューブと、をさらに備え、
前記一方のコネクタ部は、前記供給チューブの下流端が取り付けられる供給口部を有し、
前記他方のコネクタ部は、前記排出チューブの上流端が取り付けられる排出口部を有し、
前記供給チューブが前記供給口部に取り付けられ且つ前記排出チューブが前記排出口部に取り付けられた状態で、前記供給チューブと前記排出チューブとが交差している、請求項７に記載のチューブセット。
【請求項９】
前記供給口部と前記排出口部とが離間している、請求項８に記載のチューブセット。
【請求項１０】
前記供給口部の内部及び前記排出口部の内部は直線状に延びる筒状に形成されている、請求項８又は９に記載のチューブセット。
【請求項１１】
前記供給チューブの下流端及び前記排出チューブの上流端は、前記ホルダ内に設けられた接続流路によって前記ポンプチューブの各端部に接続され、各前記接続流路は血液流れに正接する曲面を有する、請求項８乃至１０の何れか１項に記載のチューブセット。
【請求項１２】
請求項１乃至１１の何れか１に記載のチューブセットと、
前記内周面に沿って前記ポンプチューブを配置させた状態で前記ホルダが固定されることによって前記チューブセットが取り付けられる前記ハウジングと、
前記ハウジング内に配置され、前記内周面に沿って配置される前記ポンプチューブをしごいてポンプチューブ内の液体を圧送する前記ロータと、を備えるチューブポンプ。
【請求項１３】
液体を送るチューブポンプに備わるチューブセットであって、
ハウジング内にその内周面に沿って湾曲させて配置され、前記ハウジング内に配置されるロータによってしごかれることで液体が圧送されるポンプチューブと、
前記ポンプチューブを前記ハウジングに取り付けるべく前記ハウジングに取り付けられるホルダ本体部、および前記ホルダ本体部に設けられ前記ポンプチューブの各端部が接続される一対のコネクタ部を有するホルダと、を備え、
前記一対のコネクタ部は、前記ポンプチューブへの液体の給排を行うべく筒状に形成されると共に、前記ホルダ本体において第１方向に互いに離間して配置され、
前記一対のコネクタ部のうちの一方のコネクタ部は、前記ポンプチューブの一方端が差し込まれる第１差込口部を有し、
前記一対のコネクタ部のうちの他方のコネクタ部は、前記ポンプチューブの他方端が差し込まれる第２差込口部を有し、
前記第１差込口部の開口方向と前記第２差込口部の開口方向との成す角度が５５°以上１２０°以下であり、より好ましくは６０°以上９０°以下である、チューブセット。
【請求項１４】
液体を送るチューブポンプに備わるチューブセットであって、
ハウジング内にその内周面に沿って湾曲させて配置され、前記ハウジング内に配置されるロータによってしごかれることで液体が圧送されるポンプチューブと、
前記ポンプチューブを前記ハウジングに取り付けるべく前記ハウジングに取り付けられるホルダ本体部、および前記ホルダ本体部に設けられ前記ポンプチューブの各端部が接続される一対のコネクタ部を有するホルダと、
前記ポンプチューブに液体を供給する供給チューブと、
前記ポンプチューブから液体を排出する排出チューブと、を備え、
前記一対のコネクタ部は、前記ポンプチューブへの液体の給排を行うべく筒状に形成されると共に、前記ホルダ本体において第１方向に互いに離間して配置され、
前記一対のコネクタ部のうちの一方のコネクタ部は、前記供給チューブの下流端が取り付けられる供給口部を有し、
前記一対のコネクタ部のうちの他方のコネクタ部は、前記排出チューブの上流端が取り付けられる排出口部を有し、
前記供給チューブが前記供給口部に取り付けられ且つ前記排出チューブが前記排出口部に取り付けられた状態で、前記供給チューブと前記排出チューブとが交差している、チューブセット。
【請求項１５】
前記供給口部と前記排出口部とが離間している、請求項１４に記載のチューブセット。
【請求項１６】
前記供給口部の内部及び前記排出口部の内部は直線状に延びる筒状に形成されている、請求項１４又は１５に記載のチューブセット。
【請求項１７】
前記一対のコネクタ部のうちの一方のコネクタ部は、前記ポンプチューブの一方端が差し込まれる第１差込口部を有し、
前記一対のコネクタ部のうちの他方のコネクタ部は、前記ポンプチューブの他方端が差し込まれる第２差込口部を有し、
前記第１差込口部の開口方向と前記第２差込口部の開口方向との成す角度が５５°以上１２０°以下であり、より好ましくは６０°以上９０°以下である、請求項１４乃至１６に記載のチューブセット。
【請求項１８】
前記供給チューブの下流端及び前記排出チューブの上流端は、前記ホルダ内に設けられた接続流路によって前記ポンプチューブの各端部に接続され、各前記接続流路は血液流れに正接する曲面を有する、請求項１４乃至１７の何れか１項に記載のチューブセット。
【請求項１９】
前記供給チューブの下流端の内周面及び前記排出チューブの上流端の内周面は、前記曲面と段差なく接続されている、請求項１８に記載のチューブセット。
【請求項２０】
前記ホルダ本体部は、前記ホルダ本体部の厚み方向に突出する突出部を有し、前記突出部の縁部は前記ホルダ本体部の面に近づくにつれ広がる曲面で構成され、
前記一方のコネクタ部の前記第１差込口部の一部および前記他方のコネクタ部の前記第２差込口部の一部は、側面視において前記ホルダ本体部の外形線よりも外方に配置されており、前記第１差込口部の一部および前記第２差込口部の一部は前記ホルダ本体部により接続されていない、請求項１３乃至１９の何れか１項に記載のチューブセット。
【発明の詳細な説明】
【技術分野】
【０００１】
本発明は、液体を送るチューブポンプのチューブセット、及びそれを備えるチューブポンプに関する。
【背景技術】
【０００２】
透析治療では、血液中の老廃物や不要な水分を除去すべく透析装置が用いられ、透析装置には血液及び薬液等の液体を送るべくチューブポンプが備わっている。チューブポンプとしては、例えば特許文献１のチューブポンプが知られている。特許文献１のチューブポンプは、ハウジングと、ロータと、チューブと、アダプタ部品とを備えている。ハウジングは、その中にポンプヘッドが形成されており、ポンプヘッドは正面視で側方に開口部を有している。また、ポンプヘッドの中には、それに沿ってチューブが配置されると共に、チューブの内側にロータが配置されている。ロータは、回転可能に構成されており回転することによってチューブをしごいてチューブ内の液体を送るようになっている。他方、チューブには、その両端部にアダプタ部品が取り付けられており、チューブはアダプタ部品を介して血液回路の供給チューブ及び排出チューブに接続されている。【０００３】
このように構成されているアダプタ部品は、正面からハウジングの開口部に嵌め込んで自身をハウジングの開口部に固定することができるようになっている。より詳細に説明すると、アダプタ部品には、ハウジングに固定すべく２つの凹部を有し、またハウジングには、凹部の各々に対応させて各クリップレシーバが形成されている。アダプタ部品を正面からハウジングの開口部に嵌め込むとクリップレシーバが凹部に収まるようになっており、収まることでアダプタ部材がハウジングに固定される。このようにして、アダプタ部品をハウジングの開口部に固定することによって、アダプタ部品を介してチューブをハウジングに固定させて保持させることができる。
【先行技術文献】
【特許文献】
【０００４】
【特許文献１】特表２００７−５３７３９０号公報
【発明の概要】
【発明が解決しようとする課題】
【０００５】
特許文献１のチューブポンプでは、前述の通りハウジングにアダプタ部材を嵌め込むことでチューブを固定することができる。また、チューブは、使用する度に交換する必要があり、ハウジングに対してチューブを着脱可能に構成する必要がある。チューブは、供給チューブ及び排出チューブと共に血液回路を構成しており、ハウジングに取付ける前からアダプタ部材を介して供給チューブ及び排出チューブに取り付けられている。それ故、チューブを交換するに際には、血液回路ごと交換する必要がある。このように構成されている特許文献１のチューブでは、血液回路の交換をしやすくるすために、アダプタ部材のハウジングに対する嵌合のしやすさが求められている。このような観点から、特許文献１のチューブポンプのアダプタ部材には、柔軟な材質が使用されている。【０００６】
しかし、柔軟な材料を使用すると、ハウジングにアダプタ部材を嵌め込む際、即ち装着させる際に装着感（例えば、クリック感）が得られにくく施術者自体がハウジングにアダプタ部材が的確に装着されたか否かの判断がしにくい。それ故、アダプタ部材がハウジングに十分に嵌まり込まずに固定されていないまま治療が始まり、治療中にハウジングからアダプタ部材が外れる等の誤作動を起こす可能性がある。
そこで本発明では、アダプタ部材に対応するホルダをハウジングに取り付ける際に装着されたか否かの判断がしやすいチューブセットを提供することを目的としている。
【課題を解決するための手段】
【０００７】
液体を送るチューブポンプに備わるチューブセットであって、ハウジング内にその内周面に沿って湾曲させて配置され、前記ハウジング内に配置されるロータによってしごかれることでその中の液体が圧送されるポンプチューブと、前記ポンプチューブの両端部が接続され、前記ポンプチューブを前記ハウジングに取り付けるべく前記ハウジングに固定されるホルダとを備え、前記ホルダは、可撓性を有する平板であり且つ互いに第１方向に離れて夫々位置する第１係合部及び第２係合部を有し、厚み方向に撓ませた状態で前記ハウジングに押し込まれることによって前記第１係合部及び前記第２係合部の各々に対応させて前記ハウジングに形成される第１係合溝及び第２係合溝に各々を嵌め込むことができ、且つ前記第１係合部及び前記第２係合部が第１係合溝及び第２係合溝に各々嵌まり込むことで弾性復帰して前記ハウジングに取り付けられ、前記ホルダの曲げ弾性率は、５００ＭＰａ以上３５００ＭＰａ以下であるチューブセットである。【０００８】
本発明によれば、ホルダの係合部を係合溝に嵌め込んだ際にホルダが弾性復帰し、それが第１係合溝を規制する面に当たる等して生じる衝撃音（即ち、クリック音）、及びそれによって指に伝わる衝撃を発生させることができる。これにより、ホルダをハウジングに取り付ける際のクリック感を生じさせることができる。これにより、ホルダをハウジングに取り付ける際に装着されたか否かの判断がしやすくすることができる。
【発明の効果】
【０００９】
本発明によれば、ホルダをハウジングに取り付ける際に装着されたか否かの判断をしやすくすることができる。
【図面の簡単な説明】
【００１０】
【図１】本発明の第１実施形態に係るチューブポンプを正面から見た正面図である。
【図２】図１のチューブポンプに備わるチューブセットを正面から見た正面図である。
【図３】図１のチューブセットに備わるホルダを斜め上から見た斜視図である。
【図４】図１のチューブセットを切断して正面から見た断面図である。
【図５】図１のホルダの押込み部を拡大して見た拡大正面図である。
【図６】図１のチューブポンプを右側方から見た右側面図である。
【図７】本発明の第２実施形態に係るホルダの斜視図である。
【図８】（ａ）は図７のホルダの平面図であり、（ｂ）図７のホルダの正面図である。
【図９】図８のＩＸ−ＩＸ線断面図である。
【図１０】本発明の第２実施形態に係るチューブセットの正面図である。
【図１１】本発明の第２実施形態に係るチューブポンプの一部分を示す正面図である。
【図１２】（ａ）は図１１のＸＩＩａ−ＸＩＩａ線断面図であり、（ｂ）は図１１のＸＩＩｂ−ＸＩＩｂ線断面図である。
【発明を実施するための形態】
【００１１】
＜第１実施形態＞
以下、本発明に係る実施形態のチューブポンプ１について図面を参照して説明する。なお、以下の説明で用いる方向の概念は、説明する上で便宜上使用するものであって、発明の構成の向き等をその方向に限定するものではない。また、以下に説明するチューブポンプ１は、本発明の一実施形態に過ぎない。従って、本発明は実施形態に限定されず、発明の趣旨を逸脱しない範囲で追加、削除、変更が可能である。
【００１２】
図１に示すチューブポンプ１は、主に血液や薬液等の液体を送るようになっており、例えば透析治療を行うための透析装置（図示せず）に備わっている。なお、透析装置は、チューブポンプ１が適用される装置の一例であり、チューブポンプ１が適用される装置は透析装置に限定されない。即ち、チューブポンプ１は、持続緩徐式血液浄化、血漿交換、血漿吸着、及び腹水濾過濃縮等に使用する多用途血液処理装置等に適用されてもよい。一例である透析装置には、血液回路が備わっており、血液回路は、血液を動脈から取り出し血液を流し、血液中の老廃物や不要な水分を除去した後に静脈へと戻すようになっている。このような役割を果たす血液回路は、供給チューブ２及び排出チューブ３を有しており、これら２つのチューブ２，３がチューブポンプ１に繋がっている。供給チューブ２は、血管から取り出した血液が流れ込んでおり、この血液をチューブポンプ１によって排出チューブ３に送り出して静脈に戻すようになっている。このような機能を有するチューブポンプ１は、チューブセット１０と、ハウジング１１と、ロータ１２と、カバー１３とを備えている。
【００１３】
図２に示すチューブセット１０は、供給チューブ２及び排出チューブ３と共に血液回路を構成しており、ポンプチューブ２１とホルダ２２とを有している。ポンプチューブ２１は、例えばＰＶＣ（ポリ塩化ビニル）から成る長尺の円筒部材であり、その中に液体を流すことができるようになっている。また、ポンプチューブ２１は、可撓性を有しており、折れたりすることなく図２に示すように大略Ｃ字状に湾曲するようになっている。更に、ポンプチューブ２１は、湾曲させた状態でホルダ２２に取り付けられている。
【００１４】
図３に示すホルダ２２は、ポンプチューブ２１を保持してハウジング１１に固定するようになっている。ホルダ２２は、例えばＰＣ（ポリカーボネイト）、ＰＥＴＧ（ポリエチレンテレフタレート）、アクリル樹脂、ＰＶＣ樹脂、及びＴｒｉｔａｎ（登録商標）のような硬質の合成樹脂材料から成り、正面視で大略矩形状に形成されている。また、ホルダ２２は、可撓性を有するべく板状に形成されており、例えば曲げ弾性率５００ＭＰａ以上３５００ＭＰａ以下、好ましくは１０００ＭＰａ以上３０００ＭＰａ以下となるように形成されている。更に詳細に説明すると、ホルダ２２は、ホルダ本体部３１と、一対のコネクタ部３２，３３と、押込み部３４とを有している。ホルダ本体部３１は、正面視で大略矩形状であって可撓性を有する板状部材であり、その長手方向（即ち、第１方向）の中央部分に突出部３５を有している。突出部３５は、ホルダ本体部３１の表面３１ａの反対側の面である裏面３１ｂからホルダ本体部３１の厚み方向に突出している。また、ホルダ本体部３１の長手方向両端部には、係合部３６，３７が形成されている。
【００１５】
２つの係合部３６，３７は、互いに異なる形状を有しており、ホルダ本体部３１の長手方向一端部（本実施形態において、上端部）に第１係合部３６が形成され、長手方向他端部（本実施形態において、下端部）に第２係合部３７が形成されている。第１係合部３６は、ホルダ本体部３１の長手方向一端部において表面３１ａから厚み方向に突出させて形成されており、側方から見て大略Ｌ字状になっている。なお、第１係合部３６は、必ずしも表面３１ａから突出している必要はなく、裏面３１ｂから突出していてもよい。また、ホルダ本体部３１の長手方向一端部には、第１係合部３６の他にガイド３８が形成されており、ガイド３８は、側方から見て大略楕円形状で且つ長手方向一端部から上方に突出している。
【００１６】
他方、第２係合部３７は、４つの爪状部分３７ａ〜３７ｄを有しており、４つの爪状部分３７ａ〜３７ｄは、ホルダ本体部３１の長手方向他端部において短手方向（本実施形態では、左右方向）に間隔をあけて並べて配置されている。更に詳細に説明すると、爪状部分３７ａ〜３７ｄは、下方へと延在しその先端部分が側面視で大略半円筒状に形成されている。また、爪状部分３７ａ〜３７ｄの各々の先端側は、厚み方向一方及び他方の何れかに突出しており、爪状部分３７ａ〜３７ｄは、先端側が千鳥状に位置する（即ち、先端側が厚み方向一方及び他方に交互に突出する）ようにホルダ本体部３１の長手方向他端部に配置されている。
【００１７】
このように構成される第２係合部３７の先端側は、側方から見て大略円形状に見えるように形成されており、弾性変形可能に構成されている。即ち、爪状部分３７ａ〜３７ｄの大略半円筒形の部分が千鳥状に配置されているので、第２係合部３７の先端側部分が上側に押されると、爪状部分３７ａ〜３７ｄの各々が側面視で互いに近づくように動き、第２係合部３７の先端側部分が厚み方向に動いて閉じていく。これにより、第２係合部３７が上方に押し上げられてホルダ本体部３１が長手方向に収縮し、第１係合部３６を押し下げることができる。このようにホルダ本体部３１には、その長手方向両端部に係合部３６，３７が夫々形成されている。また、ホルダ本体部３１の長手方向中間部分には、一対のコネクタ部３２，３３が一体的に設けられている。
【００１８】
一対のコネクタ部３２，３３は、その中に液体を流すことができるように大略円筒状に形成されており、その中間部分において鈍角にて屈曲している。このような形状を有する一対のコネクタ部３２，３３は、その一端部分に差込口部３２ａ，３３ａを有している。この差込口部３２ａの開口方向と差込口部３３ａの開口方向との成す角度は例えば４７°である。差込口部３２ａ、３３ａは、コネクタ部３２，３３の残余の部分に対して大径に形成されており、差込口部３２ａ，３３ａにポンプチューブ２１の各端部が差し込まれて溶着されている。また、一対のコネクタ部３２，３３は、他端部分に供給口部３２ｂ及び排出口部３３ｂを有しており、供給口部３２ｂには供給チューブ２が差し込まれて溶着され、また及び排出口部３３ｂには排出チューブ３が差し込まれて溶着されている。これにより、供給チューブ２とポンプチューブ２１とが供給側コネクタ部３２によって連通し、ポンプチューブ２１と排出チューブ３とが排出側コネクタ部３３によって連通するようになっている（図４参照）。即ち、供給チューブ２及び排出チューブ３が一対のコネクタ部３２，３３及びポンプチューブ２１を介して連通する。これにより、供給チューブ２の液体を供給側コネクタ部３２からポンプチューブ２１に供給し、ポンプチューブ２１内の液体を排出側コネクタ部３３から排出チューブ３へと排出することができる。
【００１９】
また、本実施形態では、供給口部３２ｂ及び排出口部３３ｂは、ホルダ本体部３１に対して直交し、互いに平行に延びている。さらに、図４に示すように、供給口部３２ｂの内部及び排出口部３３ｂの内部は直線状に延びる筒状に形成されている。このような構成とすることにより、供給チューブ２及び排出チューブ３を屈曲させることなく、ホルダ本体部３１に取り付けることができる。その結果、チューブ端部への応力に起因した負担が軽減される構成になっている。
【００２０】
このように構成されている一対のコネクタ部３２，３３は、ホルダ本体部３１においてその短尺方向に延在し且つ突出部３５を挟むように長手方向に離して配置されている。このようにして配置されている一対のコネクタ部３２，３３は、それらをホルダ本体部３１が貫通しているかの如くホルダ本体部３１に一体的に設けられている。更に詳細に説明すると、一対のコネクタ部３２，３３は、供給側コネクタ部３２を第１係合部３６側に配置し、排出側コネクタ部３３を第２係合部３７側に配置することよって、互いに長手方向に離されている。また、一対のコネクタ部３２，３３は、各々の中心軸が予め定められる仮想平面（それによりチューブセット１０を切断すると図４に示す断面を示す仮想平面）上に配置され、またホルダ本体部３１がその仮想平面に沿うように配置されており、このように配置されるホルダ本体部３１及び一対のコネクタ部３２，３３が一体的に成型されている。また、一対のコネクタ部３２，３３は、その差込口部３２ａ，３３ａが互いに離れる方向、即ち上斜め方向及び下斜め方向に向いている。これにより、ポンプチューブ２１を大略Ｃ字状に湾曲させた状態でその端部を差込口部３２ａ，３３ａに取り付けられるようになっている。他方、一対のコネクタ部３２，３３の供給口部３２ｂ及び排出口部３３ｂは、ホルダ本体部３１に直交し、互いに平行に、即ち右方向に延在しており、それらに血液回路の供給チューブ２及び排出チューブ３が夫々取り付けられている。
【００２１】
また、ホルダ本体部３１の突出部３５は、ホルダ本体部３１の厚み方向に突出し、突出部３５の縁部はホルダ本体部３１の面に近づくにつれ広がる曲面で構成されている。このような構成とすることで、可撓性が小さくなり、ホルダ本体部３１の強度が増す。
【００２２】
さらに、本実施形態のコネクタ部３２の差込口部３２ａのうち図２の面視においてホルダ本体部３１の外形線よりも外方の部分と、コネクタ部３３の差込口部３３ａのうち図２の面視においてホルダ本体部３１の外形線よりも外方の部分とがホルダ本体部３１により接続されていない。このような構成とすることにより、ホルダ本体部３１の可撓性が増し、突出部３５を設けたことに起因して必要以上に強度が高くなることなく、ホルダ本体部３１の取り付け易さを担保できる。
【００２３】
また、図５に示すようにホルダ本体部３１には、供給側コネクタ部３２と第１係合部３６との間に窓３９が形成されている。弱部の一例である窓３９は、供給側コネクタ部３２及び第１係合部３６から長手方向に夫々離してホルダ本体部３１に形成されている。また、窓３９は、短尺方向に延在すると共に厚み方向に貫通している。このように形成されている窓３９は、供給側コネクタ部３２と第１係合部３６側との間の部分を撓みやすくしている。また、ホルダ本体部３１の表面３１ａには、この窓３９に覆い被さるように押込み部３４が一体的に設けられている。
【００２４】
押込み部３４は、窓３９に長手方向に架け渡すように配置されており、右側方から見て大略Ｕ字状に形成されている（後述する図６も参照）。即ち、押込み部３４は、ホルダ本体部３１の表面３１ａから厚み方向一方に突出するように形成されている。また、押込み部３４は、ホルダ本体部３１の表面３１ａから厚み方向一方に離れたところに載置面３４ａを有している。載置面３４ａには、指の腹を押してられるようになっており、載置面３４ａは、指の腹を押し当てるべく第１係合部３６から供給側コネクタ部３２に向かうにつれて表面３１ａから離れるように傾斜している。
【００２５】
このように構成される押込み部３４では、供給側コネクタ部３２に隣接させるように配置されており、押込み部３４の高さ及び載置面３４ａの傾斜（即ち、表面３１ａに対する角度）が以下のように設定されている。即ち、押込み部３４の高さ及び載置面３４ａの傾斜は、載置面３４ａを含む仮想平面Ｐ１が供給側コネクタ部３２の外周面と接するように設定されている。これにより、載置面３４ａに載せた指が供給側コネクタ部３２の外周面にも載せることができ、押込み部３４だけでなく供給側コネクタ部３２も一緒に押し込むことができるようになっている。他方、押込み部３４は、排出側コネクタ部３３に隣接させるものの、供給側コネクタ部３２と一体化しない（即ち、くっつかない）ように供給側コネクタ部３２から離して配置されている（図５の距離ｄ参照）。このようにすることで、ホルダ本体部３１の可撓性の低下を抑えて、撓みやすくしている。また、ホルダ本体部３１では、押込み部３４を中空の大略Ｕ字状に形成することによって、ホルダ本体部３１の可撓性の低下を抑えて、撓みやすくしている。
【００２６】
このように構成されるチューブセット１０は、ポンプチューブ２１をしごくことによってその中の液体を送り出すようになっており、ポンプチューブ２１をしごくべく図１に示すようなハウジング１１に着脱可能に固定されている。即ち、ハウジング１１は、チューブセット１０を収容すべく収容凹部４１を有している。収容凹部４１は、左右方向に延在する凹部であって、正面視で大略Ｕ字形状の凹部である。即ち、収容凹部４１の左側が大略半円状に形成され、収容凹部４１の右側には開口１１ａが形成されている。また、収容凹部４１は、その開口１１ａ付近の領域にホルダ収容領域４１ａを有し、残余の領域にチューブ収容領域４１ｂを有している。ホルダ収容領域４１ａは、チューブセット１０のホルダ２２を配置し、ホルダ２２はそこでハウジング１１に固定される。また、チューブ収容領域４１ｂには、ポンプチューブ２１が収容される。更に詳細に説明すると、ポンプチューブ２１はチューブ収容領域４１ｂを規定するハウジング１１の内周面１１ｂに沿わせて収容されている。また、チューブ収容領域４１ｂには、ロータ１２がポンプチューブ２１の内側に位置するように配置されておりている。即ち、ポンプチューブ２１は、ハウジング１１の内周面１１ｂとロータ１２との間に配置され、ロータ１２によってしごけるようになっている。
【００２７】
ロータ１２は、ロータ本体４２と、一対のローラ４３，４３と、一対のガイドピン４４，４４とを有している。ロータ本体４２は、左右方向に横長の大略六角形に形成されており、その重心を中心にして回転可能にハウジング１１に設けられている。更に詳細に説明すると、ロータ本体４２は、ハウジング１１の内周面１１ｂから離れた状態でチューブ収容領域４１ｂに配置されており、チューブ収容領域４１ｂの大略半円形状の部分の中心軸Ｌ１に重心を重ね合わせるようにハウジング１１に設けられている。また、ロータ本体４２には、ポンプチューブ２１をしごくべく一対のローラ４３，４３が回転可能に取り付けられている。更に詳細に説明すると、一対のローラ４３，４３は、ロータ本体４２においてその長手方向に互いに離れて位置する対辺であって互いに１８０度ずれた位置に夫々配置されている。なお、本実施形態において一対のローラ４３，４３は、ロータ本体４２において互いに１８０度ずれた一対の対角に位置するように配置されている。このように配置されているローラ４３は、大略円筒状に形成されており、その中に図示しない回転軸が挿通されている。回転軸は、中心軸Ｌ１に平行になるようにロータ本体４２に軸支されており、ローラ４３は回転軸回りに回転できる。
【００２８】
このように構成されている一対のローラ４３，４３は、中心軸Ｌ１回りの角度位置に応じてポンプチューブ２１と押し当てられたり離れたりする。即ち、ローラ４３は、図１における右側のローラ４３のように約０度に位置しているとポンプチューブ２１から離れており、反時計回りに約４５度まで回動するとローラ４３がポンプチューブ２１に当たってポンプチューブ２１をハウジング１１の内周面１１ｂに押さえ付ける。そこから更にローラ４３が反時計回りに回動することによって、ローラ４３がポンプチューブ２１を内周面１１ｂに押し付けるようにしてしごく（図１における左側のローラ４３参照）。これにより、ポンプチューブ２１の中の液体が反時計回りに送り出される。その後、ローラ４３は、ロータ１２を反時計回りに約３１５度まで回動させるとポンプチューブ２１から離れ、再びポンプチューブ２１に当たる約４５度の位置まで離れた状態が続くようになっている。
【００２９】
このように、ロータ１２では、各ローラ４３，４３を中心軸Ｌ１回りに回転することによって送り出し動作を行うことができるようになっている。また、一対のローラ４３，４３が互いに１８０度ずれて配置されているので、ロータ１２が回転している間は少なくとも一方がポンプチューブ２１をしごいており、ポンプチューブ２１内の液体が逆戻りしないようになっている。それ故、ロータ本体４２を回転させることによってポンプチューブ２１内の液体を送り出すことができる。また、ロータ本体４２には、図示しない電動機が取り付けられている。より詳細に説明すると、電動機は、ハウジング１１の背面側（即ち、図１の紙面裏側）に配置されており、回転駆動可能な出力軸を有している。出力軸は、中心軸Ｌ１に沿ってハウジング１１を貫通し、ロータ本体４２に取り付けられている。ロータ本体４２は、前述の通り中心軸Ｌ１回りに回転可能にハウジング１１に取り付けられており、出力軸が回転することによって中心軸Ｌ１回りに回転するようになっている。
【００３０】
このようにチューブポンプ１では、ロータ１２とハウジング１１の内周面１１ｂとの間にポンプチューブ２１を配置することができ、そのポンプチューブ２１をロータ１２のローラ４３によってしごいて液体を送り出すことができる。また、ロータ１２は、ポンプチューブ２１をしごくべく横長に形成されており、図１に示すようにロータ１２の横長に突出している部分１２Ｒ，１２Ｌと内周面１１ｂとの間が狭くなっている。それ故、容易に嵌め込むことができないので、ロータ１２と内周面１１ｂとの間にポンプチューブ２１を嵌め込むべくロータ本体４２にはガイドピン４４が設けられている。ガイドピン４４は、ロータ本体４２において各ローラ４３の反時計回り前方に設けられており、ロータ本体４２から中心軸Ｌ１に垂直な方向に突出している。
【００３１】
このように配置されているガイドピン４４は、ポンプチューブ２１を取り付ける際に以下のように機能をする。即ち、ガイドピン４４をポンプチューブ２１の手前側（図１の紙面手前側）に配置した状態で、ロータ本体４２を反時計回りに回転させる。そうすると、ガイドピン４４がポンプチューブ２１をハウジング１１の奥側の面に押さえ付けながら回動することになり、ロータ本体４２が一回転することによってポンプチューブ２１全体がハウジング１１の内周面１１ｂとロータ１２との間に収められることになる。他方、ガイドピン４４をポンプチューブ２１の奥前側（図１の紙面奥側）に配置した状態、即ちポンプチューブ２１とハウジング１１との間にガイドピン４４を入れ込んだ状態で、ロータ本体４２を反時計回りに回転させる。そうすると、ポンプチューブ２１がハウジング１１から引き剥がされ、ポンプチューブ２１をチューブ収容領域４１ｂから取り外すことができる。なお、本実施形態では、ロータ本体４２を反時計回りに回転させることでポンプチューブ２１の装着及び取外しを行っているが、ロータ本体４２を時計回りに回転させるポンプチューブ２１の装着及び取外しを行うようにしてもよい。
【００３２】
このようにチューブポンプ１では、ポンプチューブ２１を着脱可能に構成されている。それ故、液体を送り出している際に取り付けられたポンプチューブ２１がハウジング１１から外れないようにするべく、ホルダ２２をハウジング１１に装着してチューブセット１０をハウジング１１に取り付けるようになっている。ホルダ２２をハウジング１１に取り付けるべく、ハウジング１１は、前述の通り開口１１ａ付近にホルダ収容領域４１ａを有しており、ホルダ収容領域４１ａにホルダ２２が収まるようになっている。
【００３３】
更に詳細に説明すると、ハウジング１１の内周面１１ｂは、図６に示すように、ホルダ収容領域４１ａを規定するべく上下に対向する部分１１ｄ，１１ｅを有しており、その対向する部分に左右方向に延在する一対の係合溝４５，４６が夫々形成されている。なお、図６では、ロータ１２及びカバー１３の図示を省略している。一対の係合溝４５，４６は、互いに上下方向に対向するように内周面１１ｂの前記対向する部分１１ｄ，１１ｅに上方及び下方に凹ませるように夫々形成されている。また、上側の係合溝である第１係合溝４５は、ホルダ２２の第１係合部３６を嵌め込めるように形成され、また下側の係合溝である第２係合溝４６は、ホルダ２２の第２係合部３７が嵌め込めるように形成されている。また、ハウジング１１には、ホルダ本体部３１のガイド３８に対応する位置に前後方向（即ち、図１の手前側及び奥側）に延在するガイド溝４７が形成されており（図１参照）、そのガイド溝４７にガイド３８を入れ込むことによって、ガイド３８がガイド溝４７によって案内されるようになっている。
【００３４】
このように構成されるハウジング１１では、以下のような作業によってホルダ２２がハウジング１１に装着されて固定される。即ち、まず、ホルダ２２の第２係合部３７をハウジング１１の第２係合溝４６に嵌め込み、次に第１係合部３６を第１係合溝４５に嵌め込む。これにより、ホルダ２２をホルダ収容領域４１ａに収容した状態でハウジング１１に固定することができる。また、ハウジング１１では、固定されたホルダ２２がホルダ収容領域４１ａから容易に出ないようにすべく、ハウジング１１の内周面１１ｂの前記対向する部分１１ｄ，１１ｅが以下のような形状になっている。即ち、一対の対向する部分１１ｄ，１１ｅは、各々の係合溝４５，４６より手前側がテーパ状に形成されており、各々の係合溝４５，４６から手前側に向かうにつれてホルダ収容領域４１ａが広がるようになっている。即ち、ホルダ収容領域４１ａの高さ（即ち、互いに対向する面の間隔）ｈ１が手前側から奥側に進むにつれて徐々に狭まるようになっている。また、ホルダ収容領域４１ａの高さｈ１は、最も手前側においてホルダ２２のホルダ本体部３１の高さ（即ち、長手方向の長さ）ｈ２より高くなっており、最も奥側においてはｈ２より若干短くなっている。それ故、ホルダ２２は、撓ませることなく係合溝４５，４６から離脱することができなくなっており、ハウジング１１から容易に出られないようになっている。また、係合溝４５，４６の各々深さは、ホルダ２２の高さに合わせて設定されている。これにより、固定されたホルダ２２は、一対の対向する部分１１ｄ，１１ｅに撓むことなく挟持され、且つガタつくことがないように上下方向に動きが規制されるようになっている。このように構成されているハウジング１１には、検出スイッチ１６及びリジェクト機構１７が設けられている。
【００３５】
検出スイッチ１６が、ホルダ本体部３１の突出部３５に対応する位置に配置されており、ホルダ２２がホルダ収容領域４１ａに収容されてハウジング１１に固定されると突出部３５が当たるようになっている。検出スイッチ１６は、突出部３５が当たることによってホルダ２２が固定されたことを検出し、その旨を図示しない透析装置の制御部に出力する。また、リジェクト機構１７は、ホルダ２２をハウジング１１から外すための機構であり、リジェクトピン１７ａと直動モータ１７ｂとを有している。リジェクトピン１７ａは、ハウジング１１を手前側に貫通してホルダ収容領域４１ａに突き出ており、また突き出た状態で前後方向に進退可能に構成されている。また、リジェクトピン１７ａは、供給口部３２ｂに対応する位置に配置されており、前進することによって供給口部３２ｂに当たるようになっている。また当たった状態で更に前進することによって、この部分を前側に押し出して第１係合部３６を第１係合溝４５から離脱させてホルダ２２をハウジング１１から外すようになっている。このような動作するリジェクトピン１７ａは、その動作を自動で行うべく直動モータ１７ｂに設けられており、直動モータ１７ｂによって前後方向に進退可能に駆動される。これにより、透析装置の制御部から直動モータ１７ｂに信号を与えることによって、自動的にホルダ２２をハウジング１１から外すことができる。
【００３６】
また、ハウジング１１には、透明な合成樹脂から成るカバー１３が設けられている。カバー１３は、収容凹部４１全体を正面から覆うように構成されており、ハウジング１１のヒンジ部１１ｃに回動可能に取り付けられている。このように構成されるカバー１３は、それを回動させることによって収容凹部４１を覆うことができる。
【００３７】
＜チューブセットの着脱方法＞
このように構成されているチューブポンプ１では、以下のようにしてハウジング１１にチューブセット１０が取り付けられている。即ち、チューブセット１０は、予めホルダ２２の供給側コネクタ部３２に供給チューブ２が差し込まれ、また排出側コネクタ部３３に排出チューブ３が差し込まれている。即ち、チューブセット１０は、供給チューブ２及び排出チューブ３と共に血液回路を予め構成している。この状態でチューブセット１０は、ハウジング１１に取り付けられるようになっており、取り付ける際にはまずホルダ２２からハウジング１１に装着される。更に詳細に説明すると、まずホルダ２２の第２係合部３７がハウジング１１の第２係合溝４６に嵌め込まれる。嵌め込んだ後、ホルダ２２を指で押す等して、第２係合部３７を支点としてホルダ２２をハウジング１１の奥側に起こしていく。この際、ホルダ２２のガイド３８がガイド溝４７に入るように、ホルダ２２の左右の位置を調整しておく。そうすると、起こしていくうちにガイド３８がガイド溝４７に入り、また第１係合部３６がハウジング１１の内周面１１ｂ（より詳細には、前記対向する部分１１ｄ）に当たる。このような状態からホルダ２２を更に奥側に押す（即ち、ホルダ収容領域４１ａ）べく、押込み部３４の載置面３４ａ及び供給側コネクタ部３２に指が載せられる。
【００３８】
指を載せた後、その指で押込み部３４及び供給側コネクタ部３２をホルダ収容領域４１ａに押し込むと、第１係合部３６が対向する部分１１ｄに押し付けられ、それに伴って第１係合部３６と供給側コネクタ部３２との間が手前側に倒れるように撓む。撓むことによって第１係合部３６の位置が下がり、下がることによって第１係合部３６を内周面１１ｂに沿って奥に進めることができる。また、第１係合部３６と供給側コネクタ部３２との間が倒れ込むことによって第２係合部３７もまた下側に押される。それによって、第２係合部３７の４つの爪状部分３７ａ〜３７ｄが側面視で互いに近づくように動き、第２係合部３７が縮むことになる。これによっても第１係合部３６の位置を下げて第１係合部３６を対向する部分１１ｄに沿って奥へと進めることに寄与している。このように、第１係合部３６と供給側コネクタ部３２との間を撓ませ且つ第２係合部３７を縮めることによって第１係合部３６が奥側へと動かしやすくなっている。このように第１係合部３６を奥側に進めることによってホルダ２２における第１係合部３６と供給側コネクタ部３２との間以外の部分が起き上がっていく。更に指でホルダ２２をホルダ収容領域４１ａに押し込んでいくと、やがて第１係合部３６が第１係合溝４５に達してそこに嵌まり込む。これにより、ホルダ２２の長手方向両端部が一対の係合溝４５，４６に係合する、即ちホルダ２２がハウジング１１に装着されて固定される。
【００３９】
なお、チューブセット１０では、ホルダ２２が硬くなるように、例えばホルダ２２の曲げ弾性率が５００ＭＰａ以上３５００ＭＰａ以下（好ましくは、１０００ＭＰａ以上３０００ＭＰａ以下）になるようにホルダ２２の材料及び各部形状が設定されている。これにより、ホルダ２２をハウジング１１に装着した際のクリック感が得られるようになっている。例えば、クリック感は、第１係合部３６が第１係合溝４５に嵌まり込んだ際にホルダ２２の第１係合部３６付近が弾性復帰する際に生じる衝撃音（即ち、クリック音）、及びそれによって指に伝わる衝撃によって得られる。このようなクリック感を生じさせることによって、ホルダ２２がハウジング１１に正確に固定されているか否の確認を音や手応えによって確認させることができる。なお、ＰＰ等の比較的柔らかい材料では前述するような曲げ弾性率を得ることができず、衝撃音や衝撃の手応えを得ることが難しい。それ故、不完全な装着によって、チューブポンプ１が作動中に不所望な動作を起こすことを防ぐことができる。
【００４０】
このように固定された状態において、ロータ１２の横長に突出している部分１２Ｒ，１２Ｌが左右に夫々位置するように配置されている。この状態では、ロータ１２の突出している右側の部分１２Ｒの上にポンプチューブ２１が載った状態となっている。他方、突出している左側の部分１２Ｌは、大きく離されているポンプチューブ２１の両端付近に位置している。このような状態において、突出している右側の部分１２Ｒの上に載っているポンプチューブ２１をハウジング１１の内周面１１ｂとロータ１２との間に収めるべく、以下のような収容作業が行われる。即ち、ホルダ２２をハウジング１１に固定することにより、ポンプチューブ２１両端部付近はハウジング１１の奥側の面に近接するように配置している。それ故、ポンプチューブ２１の両端部付近は、ロータ１２のガイドピン４４より奥側に位置しており、ロータ１２を反時計回りに回転させるとガイドピン４４がポンプチューブ２１をハウジング１１の奥側の面に押さえ付けながら回動していく。そうすると、ガイドピン４４の回転方向後方に位置するローラ４３とハウジング１１の内周面１１ｂによってポンプチューブ２１が挟持され、ガイドピン４４を中心軸Ｌ１回りに一回転させることによってポンプチューブ２１全体がハウジング１１の内周面１１ｂとロータ１２との間に収容される。このようにしてポンプチューブ２１全体がハウジング１１の内周面１１ｂとロータ１２との間に収められると、その後、カバー１３によって収容凹部４１が閉じられる。これによりハウジング１１へのチューブセット１０の取付が終了する。取付が終了した後は、ポンプチューブ２１内を血液や薬液等の液体で満たし、その状態でロータ１２を反時計回りに駆動してポンプチューブ２１をしごくと、液体が供給チューブ２からポンプチューブ２１を通って排出チューブ３へと送り出されることになる。
【００４１】
次に、ポンプチューブ２１をハウジング１１から取り外す方法について説明する。まず、制御装置からリジェクト機構１７に信号が与えられる。そうすると、リジェクト機構１７の直動モータ１７ｂが駆動してリジェクトピン１７ａを前進させる。前進するリジェクトピン１７ａは、やがてホルダ２２（より詳細には、供給口部３２ｂ）に当たり、更に前進させることによってホルダ２２を手前側に押すことになる。押されることによって、ホルダ２２の第１係合部３６と供給側コネクタ部３２との間が手前側に突出するように湾曲する。また、押されることによって第２係合部３７の爪状部分３７ａ〜３７ｄが側面視で互いに近づくように動き、第２係合部３７が収縮する。これにより、第１係合部３６の位置が下がっていき、やがて第１係合部３６が第１係合溝４５から離脱する。離脱した後も、制御装置はリジェクトピン１７ａを更に前進させる。そうすると、ホルダ２２は、第１係合部３６を内周面１１ｂに摺動させながら第２係合部３７を基点にして手前側に倒れ、更に押されることによってやがて第１係合部３６が内周面１１ｂの対向する部分１１ｄからも離れる。そうすると、第２係合部３７を第２係合溝４６からと外すことができる状態となり、ホルダ２２をハウジング１１から取り外すことができるようになる。
【００４２】
他方、ポンプチューブ２１は、ハウジング１１の内周面１１ｂとロータ１２との間に収容された状態のままであり、ポンプチューブ２１をそれらの間から取り外すべく、ロータ１２によって以下のような取外し作業が行われる。即ち、ポンプチューブ２１を取り外す場合もまた、固定する場合と同様にロータ１２の横長に突出している部分１２Ｒ，１２Ｌが左右に夫々位置するように配置されている。他方、ポンプチューブ２１の両端部付近、特に供給側コネクタ部３２に取り付けられる一端部は、ホルダ２２が取り外されることによってハウジング１１の奥側の面から離れた状態となっている。それ故、ポンプチューブ２１の一端部は、ロータ１２のガイドピン４４より手前側に位置するようになり、ロータ１２を反時計回りに回転させるとガイドピン４４がポンプチューブ２１とハウジング１１の奥側の面との間に入り込みながら回動していく。そうすると、ガイドピン４４によってポンプチューブ２１がハウジング１１の奥側の面から離されてロータ１２の手前側に押し出され、ガイドピン４４を中心軸Ｌ１回りに一回転させることによってポンプチューブ２１全体がロータ１２の手前側に押し出される。このようにしてポンプチューブ２１全体がロータ１２より手前側に押し出されることによって、チューブセット１０がハウジング１１から取外せるようになり、その状態にてカバー１３が開けられハウジング１１からチューブセット１０が取り外される。
【００４３】
このように構成されるチューブセット１０では、ホルダ本体部３１とコネクタ部３２，３３とが一体化されているので、チューブセット１０の部品点数を削減することができる。また、ホルダ本体部３１に一体的に形成されるコネクタ部３２，３３にポンプチューブ２１を直接挿入して溶着するので、ホルダ本体部３１にコネクタ部３２，３３を取付ける作業を省くことができる。それ故、チューブセット１０の組立作業の工数を削減することができる。
更に、チューブセット１０では、前述の通り、第２係合部３７を第２係合溝４６に嵌めた後、主に第１係合部３６と供給側コネクタ部３２との間を撓ませてホルダ２２を収容凹部４１に入れ込み、更に押し込むことで第１係合溝４５に第１係合部３６を嵌め込む。それ故、窓３９のような弱部を第１係合部３６の近傍に形成してホルダ２２の第１係合部３６付近を撓みやすくしている。また、ホルダ２２では、押込み部３４と供給側コネクタ部３２とを離して構成することで、ホルダ２２の剛性が高くなることを抑制させて、ホルダ２２の供給側コネクタ部３２付近を撓みやすくしている。このようにホルダ２２において第１係合部３６と供給側コネクタ部３２との間を撓みやすくすることによって、ホルダ２２が前述するような硬質の材料で構成されてもホルダ２２を収容凹部４１に入れやすく、材料変更に伴うハウジング１１に対するホルダ２２の装着のし難さを解消することができる。また、硬質の材料であっても前述するような材料を用いることによってホルダ２２に透明性を持たせることができ、チューブセット１０内における液体の流れ及び液体に含まれる気泡を見ることができる。
【００４４】
また、チューブセット１０では、押込み部３４の載置面３４ａに載置した指が供給側コネクタ部３２に添えられるようになっている。これにより、載置面３４ａだけでなく供給側コネクタ部３２も押すことができ、載置面３４ａだけを指で押す場合に比べてより指で押す面積を大きくすることができる。これにより、載置面３４ａ自体の面積を小さくすることができ、ホルダ２２の剛性が高くなることを抑えることができる。また、指で押すことができる面積が大きくなることで、ホルダ２２に荷重が掛けやすくなり、より大きな荷重をホルダ２２に作用させることができる。
【００４５】
また、コネクタ部３２，３３において、供給口部３２ｂと排出口部３３ｂとが離間して配置された構成となっている。このように構成することで、図示は省略するが、供給チューブ２及び排出チューブ３を、余裕を持って交差させることができる。したがって、これらのチューブに作用する応力を低減でき、当該チューブの劣化をより一層抑制することができる。尚、本実施形態では供給チューブ２及び供給口部３２ｂを上側、排出チューブ３及び排出口部３３ｂを下側とした構成（つまり、血液を反時計回りに流す構成）であるが、説明の便宜上規定したものであり、供給チューブ及び供給口部、排出チューブ及び排出口部とが上下逆（つまり、血液を時計回りに流す構成）になっていてもよい。
【００４６】
＜第２実施形態＞
続いて、本発明の第２実施形態に係るチューブセットについて図面を参照して説明する。以下に示す実施形態は、第１実施に係るチューブセットとは解決しようとする課題が異なる。特許文献１に記載のチューブセットは、コネクタ１４内にホース１６，１８が固定されているが、ホース１６，１８とコネクタ１４との接続端部が屈曲しており、チューブへの負担が高くなり劣化しやすい懸念がある。本実施形態の課題とは、チューブに対する負荷を減らし、使用時における信頼性の高いチューブセットを得ることである。最初に、後述の図１０に示すチューブセットを構成するホルダ１２２についての説明を行う。なお、本実施形態においては、上述の第１実施形態と同一の構成部材には同一の符号を付与し、その説明を省略することとする。
【００４７】
第２実施形態においては、図７および図８（ｂ）に示すように、ホルダ１２２においては、ポンプチューブ２１（図１０参照）の一端が差し込まれるコネクタ部１３２の差込口部１３２ａの開口方向と、ポンプチューブ２１の他端が差し込まれるコネクタ部１３３の差込口部１３３ａとの成す角度α（図８（ｂ）参照）を、上記第１実施形態よりも大きくする。具体的には、角度αは、５５°〜１２０°であり、好ましくは６０°〜９０°である。なお、本実施形態においても、コネクタ部１３２，１３３において、供給口部１３３ｂと排出口部１３２ｂとが離間して配置された構成となっているが、説明の便宜上このように規定したものであり、供給口部及び排出口部が上下逆になっていてもよく、供給口部に接続される供給チューブ及び排出口部に接続される排出チューブもそれに合わせて上下逆になっていてもよい。
【００４８】
また、第１実施形態と同様に、本実施形態においても、供給口部１３２ｂの内部及び排出口部１３３ｂの内部は直線状に延びる筒状に形成されている。このような構成とすることにより、供給チューブ２及び排出チューブ３を屈曲させることなく、ホルダ本体部３１に取り付けることができる。その結果、チューブ端部への応力に起因した負担が軽減される構成になっている。
【００４９】
また、第１実施形態と同様に、ホルダ本体部３１の突出部３５は、ホルダ本体部３１の厚み方向に突出し、突出部３５の縁部はホルダ本体部３１の面に近づくにつれ広がる曲面で構成されている。このような構成とすることで、可撓性が小さくなり、ホルダ本体部３１の強度が増す。
【００５０】
さらに、第１実施形態と同様に、本実施形態のコネクタ部１３２の差込口部１３２ａのうち図８（ｂ）の面視においてホルダ本体部３１の外形線よりも外方の部分と、コネクタ部１３３の差込口部１３３ａのうち図８（ｂ）の面視においてホルダ本体部３１の外形線よりも外方の部分とがホルダ本体部３１により接続されていない。このような構成とすることにより、ホルダ本体部３１の可撓性が増し、突出部３５を設けたことに起因して必要以上に強度が高くなることなく、ホルダ本体部３１の取り付け易さを担保できる。
【００５１】
ここで、ポンプチューブ２１は、ホルダ１２２のコネクタ部１３２，１３３に差し込まれた状態で梱包され、使用されるまで数年間保存される場合がある。そのため、その期間にポンプチューブ２１に形状変化が生じ得る。詳しくは、ポンプチューブ２１の湾曲部分に経時的に応力がかかり続けることで、当該部分の曲率が大きく（曲率半径が小さく）なっていく。つまり、ポンプチューブ２１において、ホルダ１２２からポンプチューブ２１の湾曲部分までの寸法が徐々に大きくなっていく。そのため、チューブポンプ１を使用する際にポンプチューブ２１をハウジング１１にセットしてカバー１３を閉じようとするときに、ポンプチューブ２１の湾曲部分がヒンジ部１１ｃに接触してしまって、カバー１３を閉じることができない恐れがある。
【００５２】
そこで、上記のように、角度αを上記第１実施形態よりも大きくすることで、図１０に示すように、第１実施形態よりもポンプチューブ２１の湾曲部分の曲率を小さく（曲率半径を大きく）することができる。また、このように構成することで、ポンプチューブ２１の湾曲部分の曲率が経時的に大きくなるという上述の事象を防止するためのアニール工程を行わなくて済む。これにより、加熱に起因したポンプチューブ２１の劣化および工程増による高コスト化といった、アニール工程の追加による弊害が生じない。さらに、角度αを上述の範囲に限定して設定したとしても、第１実施形態と同様に、供給口部１３３ｂと排出口部１３２ｂとを離間して配置するという構成は担保される。これにより、供給チューブ２および排出チューブ３を、余裕を持って交差させることができる。これによって、供給チューブ２および排出チューブ３に対する応力を低減することができるようになっている。
【００５３】
なお、上述の通り、角度αを第１実施形態よりも大きくしたことにより、ホルダ１２２を成型する際に、図９に示すコネクタ部１３２，１３３の各孔部を形成するためのピンが無理抜きされないよう、コネクタ部１３２の排出口部１３２ｂとコネクタ部１３３の供給口部１３３ｂとの間隔を第１実施形態よりも小さくすると共にコネクタ部１３２，１３３の各孔部の曲率を大きくしている。なお、本実施形態では、第１実施形態と異なり、供給口部と排出口部とが上下逆になっているが、説明の便宜上このように規定したものであり、供給口部及び排出口部が上下逆になっていてもよく、供給口部に接続される供給チューブ及び排出口部に接続される排出チューブもそれに合わせて上下逆になっていてもよい。
【００５４】
また、コネクタ部１３２，１３３の可撓性は、板状のホルダ本体部３１の可撓性よりも低い。このような状況で、上述の通り、角度αを第１実施形態よりも大きくしたことによって、ホルダ本体部３１に対するコネクタ部１３２，１３３の接続面積（接触面積）が増加し、コネクタ部１３２，１３３の存在に起因して、長さ方向（図８（ｂ）の紙面上下方向）におけるホルダ本体部３１の可撓性がより一層阻害されてしまう。ホルダ１２２はハウジング１１に対して撓みながら取り付けられるものであるがゆえ、ホルダ本体部３１の可撓性が低下すると作業性が悪くなってしまう。そこで、本実施形態では、第１実施形態においてホルダ本体部３１の可撓性を調整する目的として設けられている窓（弱部）３９の開口をより大きくした窓１３９を設けた。これにより、ホルダ本体部３１の可撓性を維持して、ホルダ１２２のハウジング１１に対するセットを行う際の作業性の低下を抑制することができる。なお、開口が大きく形成された窓１３９を採用することに伴って、この窓１３９を覆うために、第１実施形態の押込み部３４の載置面３４ａよりも大きい載置面１３４ａを有する押込み部１３４を採用している。  
【００５５】
また、本実施形態では、図１０に示すように、排出チューブ３が排出口部１３２ｂに取り付けられ且つ供給チューブ２が供給口部１３３ｂに取り付けられた状態で、供給チューブ２と排出チューブ３とを交差させている。このような状態で供給チューブ２および排出チューブ３はそれぞれ捲回され、ポンプチューブ２１、ホルダ１２２、供給チューブ２、および排出チューブ３が一体的にアセンブリされた状態のチューブセット１１０が袋に梱包されて使用時まで保管される場合が多い。
【００５６】
このように、供給チューブ２と排出チューブ３とを交差させることで、供給チューブ２と排出チューブ３とを交差させない状態でこれらのチューブを捲回する場合よりも、コンパクトに保管することができると共に、供給チューブ２および排出チューブ３の曲率を小さくすることができることによって、これらのチューブに作用する応力を低減でき、当該チューブの劣化を抑制することができる。
【００５７】
また、本実施形態では、図１０に示すように、ホルダ１２２の上部側面に凸部５０が設けられている。この凸部５０は例えば円柱状又は球形状に形成することができる。ホルダ１２２と、ハウジング１１におけるホルダ１２２の設置スペースを形成する肉壁との間に若干のクリアランスが生じることがある。そのため、ロータ本体４２（図１参照）の回転時にホルダ１２２の上部が左右に動き、僅かな軋み音が生じる場合がある。そこで、凸部５０を設けることで上記クリアランスをなくすことができ、軋み音を低減することができる。また、凸部５０を球形にすることで、ホルダ１２２をハウジング１１に設置する際の抵抗感が増加しないようにすることができる。
【００５８】
さらに、本実施形態では、上述の第１実施形態における第２係合部３７を次のように変形した第２係合部１３７を採用する。
【００５９】
図７に示すように、第２係合部１３７は、第１実施形態における４つの爪状部分３７ａ〜３７ｄとは異なり、１つの係合部分１３７ａおよび３つの爪状部分１３７ｂ〜１３７ｄで構成される。係合部分１３７ａおよび爪状部分１３７ｂ〜１３７ｄは、ホルダ本体部３１の長手方向他端部（下端部）において短手方向（左右方向）に間隔を空けて並列させて配置されている。詳細には、係合部分１３７ａは下方へと延在し、その先端部分が円柱状に形成されている。このような係合部分１３７ａは、ホルダ本体部３１の厚み方向の一方および他方に突出している。また、爪状部分１３７ｂ〜１３７ｄも下方へと延在し、その先端部分は側面視で略半円筒状に形成されている。爪状部分１３７ｂ〜１３７ｄの先端部分は、ホルダ本体部３１の厚み方向の一方および他方のうちの何れかの方向に交互に突出している。詳細には、爪状部分１３７ｂの外周曲面部はホルダ本体部３１の裏面３１ｂ側に配置され、爪状部分１３７ｃの外周曲面部はホルダ本体部３１の表面３１ａ側に配置され、爪状部分１３７ｄの外周曲面部はホルダ本体部３１の裏面３１ｂ側に配置されている。なお、係合部分１３７ａの軸心と爪状部分１３７ｂ〜１３７ｄの各軸心とは略一致している。
【００６０】
一方、図１２（ａ）に示すように、第２実施形態においても、第１実施形態と同様に、ハウジング１１の内周面１１ｂの下部に部分（土手部分）１１ｅが形成されていると共に、この部分１１ｅには左右方向に延在する第２係合溝４６が形成されている。この第２係合溝４６は、側面視で略半円状の凹部になるよう形成されている。つまり、図１２（ａ）に示す通り、係合部分１３７ａが第２係合溝４６に嵌め込まれた状態において、この係合分１３７ａの外周曲面の一部分は第２係合溝４６に当接されない。
【００６１】
図１２（ｂ）に示すように、ハウジング１１の内周面１１ｂ（図６）には、上記の部分１１ｅの側方（右方）に、この部分１１ｅよりも高い上面を有する高土手部分１１１が形成されている。この高土手部分１１１の肉厚部分には、上記の第２係合溝４６に連続して形成されると共に係合部分１３７ｄが嵌まり込む第３係合溝１４６が形成されている。この第３係合溝１４６は、側面視で略３／４円状の凹部になるよう形成されている。これにより、図１２（ｂ）に示す通り、係合部分１３７ｄが第３係合溝１４６に嵌め込まれた状態において、ホルダ本体部３１の裏面３１ｂ側に配置された係合部分１３７ｄの外周曲面部のほとんどの部分が第３係合溝１４６に当接されている。
【００６２】
ここで、上述したようにポンプチューブ２１の湾曲部分の曲率を小さく（曲率半径を大きく）した場合には、ハウジング１１の内周面１１ｂに接触するポンプチューブ２１に対して、この内周面１１ｂからの反力が作用し易くなり、その反力に起因してポンプチューブ２１がセット位置から手前に浮いてしまう恐れがある。これに伴って、ホルダはその上部が解放されて手前に前傾するように変位する。また、ホルダのオートイジェクト時には、当該ホルダはその上部が解放されて手前に前傾するように変位する。これらの場合に、ホルダの第２係合部が第２係合溝にしっかり係合されていないと、ホルダが手前かつ側方に変位したり、第２係合部が第２係合溝から外れる恐れがあった。
【００６３】
そこで、上記のように第２係合部１３７を構成することによって、ホルダ１２２が手前に前傾姿勢になった状態、即ち、図１２（ａ）の係合部分１３７ａが同図の紙面において反時計回りに回動すると共に、図１２（ｂ）の爪状部分１３７ｄが同図の紙面において反時計回りに回動した状態でも、ホルダ１２２の左端に配置された係合部分１３７ａの外周曲面が第２係合溝４６の内周壁に当接した状態を維持できると共に、ホルダ１２２の右端に配置された爪状部分１３７ｄの外周曲面が第３係合溝１４６の内周壁に当接した状態を維持できる。つまり、ホルダ１２２が前傾姿勢になった状態でも、ホルダ１２２の左右両端部分の溝に対する係合を維持することができる。このことによって、ホルダ１２２が手前かつ側方に変位したり、第２係合部１３７が第２係合溝４６又は第３係合部１４６から外れることを抑制することができる。
【００６４】
また、第１実施形態の図４に示すように、供給チューブ２の一端の内周面及び排出チューブ３の一端の内周面は、ホルダ２２内に位置する接続流路２２ａ，２２ｂに接続され、接続流路２２ａ，２２ｂは血液流れと正接する曲面で構成されている。断面視において、曲面の円弧部分が互いに対向するように設けられている。このように構成することで、接続流路２２ａ，２２ｂが曲面でない場合に比べ、血液の溶血を防ぐことができる。なお、第２実施形態の図９の態様においても同様に構成することができる。
【００６５】
さらに、第１実施形態の図４において、供給チューブ２の下流端の内周面及び排出チューブ３の上流端の内周面は、上記曲面と段差なく接続されるように構成してもよい。このように構成することで、より一層血液の溶血を防ぐことができる。なお、第２実施形態の図９の態様においても同様に構成することができる。
【００６６】
＜その他の構成＞
本実施形態のチューブセット１０では、ホルダ２２が大略形状に形成されているが、そのような形状に限定されず大略正方形や大略多角形状であってもよく、また部分的に湾曲するような形状で当もよい。即ち、ホルダ２２は、どのような形状であってもよく、ホルダ本体部３１とコネクタ部３２，３３とが一体的に構成されているものであればよい。また、ホルダ２２の係合部３６，３７の形状は上述するような形状に限定されず、上下反対に配置されてもよい。また、係合部３６，３７は、ホルダ本体部３１の長手方向両端部に設けられているが、必ずしも長手方向両端部に設けられている必要はなく、長手方向に離して位置するようにホルダ本体部３１に形成されていればよい。例えば、ホルダ本体部３１の裏面３１ｂから突出するように形成してもよい。
【００６７】
本実施形態のチューブセット１０では、ホルダ２２の弱部として窓３９が形成されているが、窓３９に限定されない。例えば、第１係合部３６付近に凹部を形成したりまたその付近の厚みを薄くしたりしてもよい。また、二色成形を行うことによって部分的に撓みやすくしてもよく、また複数の窓を形成してもよい。また、第１係合部３６を先にハウジングに装着した後に第２係合部３７をハウジングに装着するように構成してもよい。
また、本実施形態のチューブポンプ１では、上側に供給チューブ２が配置され、下側に排出チューブ３が配置されているが、２つのチューブ２，３が上下を逆にして配置されていてもよい。この場合、ローラ４３は時計回りに回動し、それによってポンプチューブ２１の中の液体が時計回りに送り出されることになる。
【符号の説明】
【００６８】
１  チューブポンプ
２  供給チューブ
３  排出チューブ
１０  チューブセット
１１  ハウジング
１１ｂ  内周面
１２  ロータ
２１  ポンプチューブ
２２，１２２  ホルダ
２２ａ，２２ｂ，１２２ａ，１２２ｂ  接続流路
３１  ホルダ本体部
３２，１３２  供給側コネクタ部
３３，１３３  排出側コネクタ部
３４  押込み部
３４ａ  載置面
３６  第１係合部
３７  第２係合部
３９，１３９  窓（弱部）
４５  第１係合溝
４６  第２係合溝
１３２ａ  差込口部（第１差込口部）
１３２ｂ  排出口部
１３３ａ  差込口部（第２差込口部）
１３３ｂ  供給口部
【図１】
2019065480.tif 000003
【図２】
2019065480.tif 000004
【図３】
2019065480.tif 000005
【図４】
2019065480.tif 000006
【図５】
2019065480.tif 000007
【図６】
2019065480.tif 000008
【図７】
2019065480.tif 000009
【図８】
2019065480.tif 000010
【図９】
2019065480.tif 000011
【図１０】
2019065480.tif 000012
【図１１】
2019065480.tif 000013
【図１２】
2019065480.tif 000014
【国際調査報告】
2019065480.tif 000015
2019065480.tif 000016
2019065480.tif 000017